(57)【要約】【課題】複連シートの楽譜等、横方向に相当長い書類を、設置状況に関わらず、一覧性を損なうことなく保持でき、折畳状態で薄く取扱いやすいファイルを提供する。【解決手段】表裏の表紙１，１が背表紙２を介して連なり、表紙１に拡張台紙３がヒンジ３ｃを軸として見開き可能に設けられたファイルにおいて、拡張台紙３は、表紙１とは別体とされて、ヒンジ３ｃを介して隣接する台板部３ａと継代部３ｂから成り、継代部３ｂが表紙１の内面に固着され、ヒンジ３ｃは、表紙１の小口側の端縁から背側へ離れて位置し、表紙１のヒンジ３ｃに対応する位置と小口側の端縁の間が展開支持部８とされ、拡張台紙３の台板部３ａは、表紙１からヒンジ３ｃを軸として展開すると、展開支持部８により背面側から支持されるようにする。【選択図】図３
2020175592.tif 000002
【特許請求の範囲】
【請求項１】
表裏の表紙(1,1)が背表紙(2)を介して連なり、前記表紙(1)に拡張台紙(3)がヒンジ(3c)を軸として見開き可能に設けられたファイルにおいて、
前記拡張台紙(3)は、前記表紙(1)とは別体とされて、前記ヒンジ(3c)を介して隣接する台板部(3a)と継代部(3b)から成り、前記継代部(3b)が前記表紙(1)の内面に固着され、
前記ヒンジ(3c)は、前記表紙(1)の小口側の端縁から背側へ離れて位置し、前記表紙(1)の前記ヒンジ(3c)に対応する位置と小口側の端縁の間が展開支持部(8)とされ、
前記拡張台紙(3)の台板部(3a)は、前記表紙(1)から前記ヒンジ(3c)を軸として展開したとき、前記展開支持部(8)により背面側から支持されることを特徴とするファイル。
【請求項２】
前記拡張台紙(3)は、前記表紙(1)に重なるように折り畳まれた状態で、前記ヒンジ(3c)を軸として折れ曲がらず、前記台板部(3a)と前記継代部(3b)とが重ならないことを特徴とする請求項１に記載のファイル。
【請求項３】
前記拡張台紙(3)が前記継代部(3b)での固着により横方向に２枚順次連設され、
前記２枚の拡張台紙(3)が折り畳まれた状態で、前記表紙(1)に固着された一方の拡張台紙(3)の継代部(3b)と、この拡張台紙(3)に継代部(3b)が固着されて連なる他方の拡張台紙(3)の台板部(3a)とが重ならずに向き合い、
前記一方の拡張台紙(3)が展開された状態で、他方の拡張台紙(3)を展開したとき、前記他方の拡張台紙(3)は、前記一方の拡張台紙(3)の端縁に沿った展開支持部(8)により背面側から支持されることを特徴とする請求項１に記載のファイル。
【請求項４】
前記拡張台紙(3)は、格納位置と張出位置との間で横方向にスライド可能なスライド拡張部(3d)を備えており、
前記スライド拡張部(3d)が格納位置にあり、前記台板部(3a)が折り畳まれた状態で、前記継代部(3b)と前記スライド拡張部(3d)とが重ならずに向き合い、
前記台板部(3a)が展開された状態で、前記スライド拡張部(3d)が張出位置にあるとき、前記スライド拡張部(3d)は、前記台板部(3a)の端縁に沿った展開支持部(8)により背面側から支持されることを特徴とする請求項１に記載のファイル。
【請求項５】
表裏の表紙(1,1)が背表紙(2)を介して連なるファイルにおいて、
前記表紙(1)は、前記背表紙(2)に隣接する台板部(1a)に対し格納位置と張出位置との間で横方向にスライド可能なスライド拡張部(1b)を備えており、
前記スライド拡張部(1b)は、張出位置にあるとき、前記台板部(1a)の端縁に沿った展開支持部(8)により背面側から支持されることを特徴とするファイル。
【発明の詳細な説明】
【技術分野】
【０００１】
この発明は、楽譜や図面等の横方向に長い書類を収容し、表紙を開いた状態で書類を見やすく保持する機能を備えたファイルに関する。
【背景技術】
【０００２】
楽譜には、冊子状のものもあれば、１頁のシートが複数枚セットになったものや、２頁の紙面が折目を介して横方向に連なった２連シートのもの、３頁の紙面が折目を介して横方向に連なった３連シートのもの等が存在している。このうち、２連、３連シートのような複連シートの楽譜は、譜面台に載せると、譜面台の譜面支持枠から側方へはみ出した部分が垂れ下がって見にくくなるため、下記特許文献１（段落[００２３]−[００２４]、図１０）においては、３連シートの楽譜を一覧できるように開いた状態で保持することを意図したファイルが提案されている。
【０００３】
このファイルは、図１５に示すように、表裏の表紙５１，５１が背表紙の連接部５２を介して連なると共に、裏側の表紙５１にヒンジとなる連接部５３を介して拡張台紙５４が見開き可能に連なり、表紙５１の内面下部及び拡張台紙５４の先端寄り側部にそれぞれ捲止片５５，５６が設けられたものとされている。
【０００４】
このようなファイルでは、表裏の表紙５１，５１を開き、拡張台紙５４を展開すると、３連シートの楽譜Ｍを、全頁が見えるように開いた状態で、捲止片５５，５６の内側に挟んで保持することができる。そして、その状態で譜面台に載せたとき、連接部５２，５３が譜面台の譜面支持枠の範囲内にあれば、同一平面を形成する表紙５１，５１及び拡張台紙５４により、楽譜が見やすい状態に保持される。
【先行技術文献】
【特許文献】
【０００５】
【特許文献１】特開２０１５−１４７４０１号公報
【発明の概要】
【発明が解決しようとする課題】
【０００６】
しかしながら、上記特許文献１のファイルでは、譜面台に載せた状態で、連接部５３が譜面支持枠からはみ出していると、拡張台紙５４が自重により表紙５１の延長面よりもさらに開く方向へ回動してしまい、楽譜の一覧性を維持できなくなる恐れがあった。
【０００７】
また、剛性を向上させるため、材料に厚いシートを使用すると、折畳状態での厚さが大きくなって、取扱い難くなるという問題もあった。
【０００８】
そこで、この発明は、複連シートの楽譜等、横方向に相当長い書類を、設置状況に関わらず、一覧性を損なうことなく保持でき、折畳状態で薄く取扱いやすいファイルを提供することを課題とする。
【課題を解決するための手段】
【０００９】
上記課題を解決するため、この発明は、表裏の表紙が背表紙を介して連なり、前記表紙に拡張台紙がヒンジを軸として見開き可能に設けられたファイルにおいて、
前記拡張台紙は、前記表紙とは別体とされて、前記ヒンジを介して隣接する台板部と継代部から成り、前記継代部が前記表紙の内面に固着され、
前記ヒンジは、前記表紙の小口側の端縁から背側へ離れて位置し、前記表紙の前記ヒンジに対応する位置と小口側の端縁の間が展開支持部とされ、
前記拡張台紙の台板部は、前記表紙から前記ヒンジを軸として展開すると、前記展開支持部により背面側から支持されるものとしたのである。
【００１０】
また、前記拡張台紙は、前記表紙に重なるように折り畳まれた状態で、前記ヒンジを軸として折れ曲がらず、前記台板部と前記継代部とが重ならないものとしたのである。
【００１１】
また、前記拡張台紙が前記継代部での固着により横方向に２枚順次連設され、
前記２枚の拡張台紙が折り畳まれた状態で、前記表紙に固着された一方の拡張台紙の継代部と、この拡張台紙に継代部が固着されて連なる他方の拡張台紙の台板部とが重ならずに向き合い、
前記一方の拡張台紙が展開された状態で、他方の拡張台紙を展開したとき、前記他方の拡張台紙は、前記一方の拡張台紙の端縁に沿った展開支持部により背面側から支持されるものとしたのである。
【００１２】
また、前記拡張台紙は、格納位置と張出位置との間で横方向にスライド可能なスライド拡張部を備えており、
前記スライド拡張部が格納位置にあり、前記台板部が折り畳まれた状態で、前記継代部と前記スライド拡張部とが重ならずに向き合い、
前記台板部が展開された状態で、前記スライド拡張部が張出位置にあるとき、前記スライド拡張部は、前記台板部の端縁に沿った展開支持部により背面側から支持されるものとしたのである。
【００１３】
或いは、表裏の表紙が背表紙を介して連なるファイルにおいて、
前記表紙は、前記背表紙に隣接する台板部に対し格納位置と張出位置との間で横方向にスライド可能なスライド拡張部を備えており、
前記スライド拡張部は、張出位置にあるとき、前記台板部の端縁に沿った展開支持部により背面側から支持されるものとしたのである。
【発明の効果】
【００１４】
この発明に係るファイルでは、展開した拡張台紙の台板部又は張り出したスライド拡張部が、表紙の延長面より開く方向へ回動しないように、展開支持部により規制された状態で支持されるので、複連シートの楽譜等の横方向に相当長い書類を、一覧性を損なうことなく保持できる。このため、演奏者が楽曲の進行に伴ってファイルの設置状況を気に掛ける必要がなくなり、演奏に集中することができる。
【００１５】
また、拡張台紙を折り畳み、スライド拡張部を格納したとき、これらの重なり合いが極力抑制され、偏平な薄い状態となっているので、書類の収まりがよく、持ち運びに際し、鞄の中等で嵩張ることもなく、容易に取り扱うことができる。
【図面の簡単な説明】
【００１６】
【図１】この発明の第１実施形態に係るファイルの拡張台紙の折畳状態を示す斜視図
【図２】同上の拡張台紙の台板部の展開状態を示す斜視図
【図３】同上の２連シートの楽譜を開いた使用状態を示す斜視図
【図４】同上のファイルにおいて、（ａ）は拡張台紙が折り畳まれた状態を示す部分拡大断面図、（ｂ）は拡張台紙が展開された状態を示す部分拡大断面図
【図５】この発明の第２実施形態に係るファイルの拡張台紙の展開過程を示す斜視図
【図６】同上のファイルにおいて、（ａ）は両方の拡張台紙が折り畳まれた状態を示す部分拡大断面図、（ｂ）は一方の拡張台紙のみ展開された状態を示す部分拡大断面図、（ｃ）は両方の拡張台紙が展開された状態を示す部分拡大断面図
【図７】この発明の第３実施形態に係るファイルの拡張台紙の折畳状態を示す斜視図
【図８】同上の拡張台紙の台板部が展開された状態を示す斜視図
【図９】同上の拡張台紙のスライド拡張部が張り出した状態を示す斜視図
【図１０】同上の３連シートの楽譜を開いた使用状態を示す斜視図
【図１１】同上のファイルにおいて、（ａ）は拡張台紙のスライド拡張部が格納され台板部が折り畳まれた状態を示す部分拡大断面図、（ｂ）は台板部のみ展開された状態を示す部分拡大断面図、（ｃ）はスライド拡張部が張り出した状態を示す部分拡大断面図
【図１２】同上のスライド拡張部のピン結合の近傍を示す（ａ）は断面図、（ｂ）は平面図
【図１３】この発明の第４実施形態に係るファイルの表紙のスライド拡張部の張出状態を示す斜視図
【図１４】この発明の第５実施形態に係るファイルの表紙のスライド拡張部の張出状態及び拡張台紙の展開状態を示す斜視図
【図１５】特許文献１記載の楽譜用の３連シート用ファイルを示す平面図
【発明を実施するための形態】
【００１７】
以下、この発明の実施形態を添付図面に基づいて説明する。
【００１８】
図１乃至図３に示すように、第１実施形態に係るファイルは、表裏の表紙１，１が背表紙２を介して連なり、裏側の表紙１に拡張台紙３が見開き可能に設けられ、背表紙２に綴じ具４を備えたものとされている。表紙１，１、背表紙２及び拡張台紙３は、塩化ビニルやポリプロピレン等の樹脂製とするほか、厚紙製としてもよい。また、綴じ具４は、例示したリング式のほか、表紙１の背側に設けたレバー式やバンド式のものとしてもよい。
【００１９】
表紙１，１及び拡張台紙３の大きさは、収納対象の楽譜の大きさに応じて決められ、拡張台紙３は、表紙１，１の内側に折畳可能な大きさとされている。
【００２０】
拡張台紙３は、表紙１とは別体であり、台板部３ａと継代部３ｂとがヒンジ３ｃを介して隣接した構成とされている。
【００２１】
継代部３ｂは、表紙１の内面にハトメやリベット、又は接着剤や熱溶着等により固着され、図１及び図４（ａ）に示すように、拡張台紙３が表紙１に重なるように折り畳まれた状態で、継代部３ｂがヒンジ３ｃを軸として折れ曲がることなく、台板部３ａと継代部３ｂとが重ならないようになっている。
【００２２】
ヒンジ３ｃは、図２及び図４（ｂ）に示すように、台板部３ａの開閉時の回動軸となるものであり、表紙１の小口側の端縁から背側へ離れて位置し、表紙１のヒンジ３ｃに対応する位置と小口側の端縁の間が展開支持部８とされている。
【００２３】
ここで、ヒンジ３ｃは、拡張台紙３が樹脂製の場合、ヒートバーで形成した溝とするのが一般的であり、拡張台紙３が厚紙製の場合、ダイカッタの押罫で押圧した溝状の押罫線とするのが一般的であるが、刃物で断続的に切り込んだミシン線のほか、厚さ方向の途中まで切り込んだ半切線としてもよい。
【００２４】
上記のようなファイルを使用して、例えば楽譜を収容する際には、綴じ具４により楽譜を表裏の表紙１，１の内側に綴じ込む。
【００２５】
このとき、１頁のシートが複数枚セットになった楽譜を綴じる場合には、図１に示すように、台板部３ａが継代部３ｂからヒンジ３ｃを軸として全体的に表紙１に重なる折畳状態としておき、そのままの状態で表裏の表紙１，１を開いて楽譜を見る。
【００２６】
また、２頁の紙面が折目を介して横方向に連なった２連シートの楽譜を綴じて一覧する場合には、拡張台紙３の台板部３ａを、ヒンジ３ｃを軸として展開するように回動させ、図２に示すように、裏側の表紙１と拡張台紙３とがほぼ同一面を形成する状態とする。
【００２７】
このように拡張台紙３の台板部３ａを展開すると、台板部３ａが裏側の表紙１の展開支持部８により、表紙の延長面より開く方向へ回動しないように規制された状態で支持されるので、譜面台に載せて後傾させたとき、台板部３ａが譜面台の譜面支持枠から側方へはみ出している場合でも、楽譜が見やすい状態で保持される。
【００２８】
なお、図５に示す第２実施形態に係るファイルのように、拡張台紙３が２枚横方向に順次連設され、図６（ａ）に示すように、２枚の拡張台紙３が折り畳まれた状態で、表紙１に固着された一方の拡張台紙３の継代部３ｂと、この拡張台紙３に継代部３ｂが固着されて連なる他方の拡張台紙３の台板部３ａとが重ならずに向き合うようにしてもよい。
【００２９】
このファイルでは、図６（ｂ）に示すように、一方の拡張台紙３を展開すると、２頁の紙面が折目を介して横方向に連なった２連シートの楽譜を一覧できる。
【００３０】
そして、図６（ｃ）に示すように、一方の拡張台紙３が展開された状態で、他方の拡張台紙３を展開したとき、他方の拡張台紙３は、一方の拡張台紙３の端縁に沿った展開支持部８により背面側から支持され、３頁の紙面が折目を介して横方向に連なった３連シートのように、さらに横長の楽譜を一覧できる。
【００３１】
或いは、図７乃至図１０に示す第３実施形態に係るファイルのように、拡張台紙３に、台板部３ａに重なる格納位置と台板部３ａから張り出した張出位置との間で横方向にスライド可能なスライド拡張部３ｄを備えたものとしてもよい。
【００３２】
このファイルでは、スライド拡張部３ｄの上部と下部に、それぞれ横方向に延びるスロット状のガイド穴５が設けられ、プラスチックや金属等から成るピン６が台板部３ａ及びスライド拡張部３ｄのガイド穴５に挿通されて、台板部３ａに対するスライド拡張部３ｄのスライドがガイドされる構成となっている。
【００３３】
このファイルでは、図７及び図１１（ａ）に示すように、スライド拡張部３ｄが格納位置にあり、台板部３ａが折り畳まれた状態で、継代部３ｂとスライド拡張部３ｄとが重ならずに向き合い、表紙１に折り重なっても、偏平な薄い状態となっている。
【００３４】
また、図８及び図１１（ｂ）に示すように、スライド拡張部３ｄが格納位置にある状態で、台板部３ａを展開すると、２頁の紙面が折目を介して横方向に連なった２連シートの楽譜を一覧できる。
【００３５】
また、図９及び図１１（ｃ）に示すように、台板部３ａが展開された状態で、スライド拡張部３ｄを張り出させると、スライド拡張部３ｄが台板部３ａの端縁に沿った展開支持部８により背面側から支持され、３頁の紙面が折目を介して横方向に連なった３連シートのように、さらに横長の楽譜を一覧できる。
【００３６】
ここで、図１２（ａ）に示すように、台板部３ａとスライド拡張部３ｄの結合部では、ピン６の軸部６ａが台板部３ａの貫穴７及びスライド拡張部３ｄのガイド穴５に挿通されて、ピン６が両端の頭部６ｂで貫穴７及びガイド穴５から抜け止めされ、スライド拡張部３ｄのスライドに伴い、ピン６の軸部６ａがガイド穴５に対し相対移動する。
【００３７】
また、図１２（ｂ）に示すように、ガイド穴５の各端部寄りに係止突起５ａを設けることにより、ガイド穴５の端部に位置するピン６の軸部６ａは、係止突起５ａを圧縮変形させて乗り越えない限り、ガイド穴５に対して相対移動しないようになっている。これにより、スライド拡張部３ｄは、図８に示す格納位置又は図９に示す張出位置から不意に移動しないように位置決めされる。
【００３８】
上記のようなファイルを使用して、例えば楽譜を収容する際には、綴じ具４により楽譜を表裏の表紙１，１の内側に綴じ込む。
【００３９】
このとき、１頁のシートが複数枚セットになった楽譜を綴じる場合には、図７に示すように、拡張台紙３のスライド拡張部３ｄを格納位置とし、台板部３ａを折畳状態としておき、表裏の表紙１，１を開いて楽譜を見る。
【００４０】
また、２頁の紙面が折目を介して横方向に連なった２連シートの楽譜を綴じて一覧する場合には、図８に示すように、拡張台紙３のスライド拡張部３ｄを格納位置としたまま、台板部３ａを展開し、裏側の表紙１と拡張台紙３とがほぼ同一面を形成する状態とする。
【００４１】
このように拡張台紙３の台板部３ａを展開すると、台板部３ａが裏側の表紙１の展開支持部８により、背面側から支持されるので、譜面台に載せて後傾させたとき、台板部３ａが譜面台の譜面支持枠から側方へはみ出している場合でも、表紙１の延長面より開く方向へ回動しないように規制され、楽譜が見やすい状態で保持される。
【００４２】
また、３頁の紙面が折目を介して横方向に連なった３連シートの楽譜を綴じて一覧する場合には、図９に示すように、拡張台紙３の台板部３ａを、ヒンジ３ｃを軸として展開した後、さらに、スライド拡張部３ｄを張出位置まで横方向にスライドさせる。
【００４３】
このように拡張台紙３の台板部３ａを展開し、スライド拡張部３ｄを張り出させると、台板部３ａが表紙１の展開支持部８により背面側から支持され、スライド拡張部３ｄの一側部も台板部３ａの端縁に沿った展開支持部８により背面側から支持される。
【００４４】
このため、譜面台等に載せて後傾させたとき、台板部３ａが譜面台の譜面支持枠から側方へはみ出している場合でも、図１０に示すように、３連シートの楽譜Ｍのような書類が見やすい状態で保持される。
【００４５】
なお、上記第３実施形態では、拡張台紙３にスライド拡張部３ｄを備えたファイルを例示したが、図１３に示す第４実施形態のように、表紙１に、背表紙２に隣接する台板部１ａに対して格納位置と張出位置との間で横方向にスライド可能なスライド拡張部１ｂを備え、スライド拡張部１ｂは、張出位置にあるとき、台板部１ａの端縁に沿った展開支持部８により背面側から支持されるようにしてもよい。
【００４６】
この場合、表紙１における台板部１ａとスライド拡張部１ｂの結合構造は、図１２に示すように、上記第１実施形態の拡張台紙３における台板部３ａとスライド拡張部３ｄの連結構造と同様のものとすればよい。
【００４７】
また、図１４に示す第５実施形態のように、表紙１にスライド拡張部１ｂを設けると共に、スライド拡張部１ｂに、見開き可能な拡張台紙３を設けるようにしてもよい。この場合、表紙１のスライド拡張部１ｂに拡張台紙３の継代部３ｂを固着し、拡張台紙３は、展開された状態において、表紙１のスライド拡張部１ｂの端縁に沿った部分を展開支持部８により、背面側から支持されるようにすればよい。
【００４８】
上記各実施形態に係るファイルによると、複連シートの楽譜等の横方向に相当長い書類を、一覧性を損なうことなく保持できるため、演奏者が楽曲の進行に伴ってファイルの設置状況を気に掛ける必要がなくなり、演奏に集中することができる。また、拡張台紙３を下敷きにして、楽譜にメモ書き等の書き込みを行うことが可能になる。
【００４９】
また、楽譜だけでなく、横長の大きな図面や地図等の書類を収容した場合でも、見やすいように広げて保持することができ、手持ちの状態で見ることも可能となる。
【００５０】
また、拡張台紙３を折り畳み、スライド拡張部１ｂ、３ｄを格納したとき、これらの重なり合いが極力抑制され、偏平な薄い状態となっているので、書類の収まりがよく、持ち運びに際し、鞄の中等で嵩張ることもなく、容易に取り扱うことができる。
【００５１】
ところで、上記各実施形態では、裏側の表紙１にのみ拡張台紙３又はスライド拡張部１ｂを設けたものを例示したが、これに加えて、又はこれに替えて、表側の表紙１に拡張台紙３又はスライド拡張部１ｂを設けるようにしてもよい。
【００５２】
また、横方向に非常に長い書類を広げる場合には、拡張台紙３のスライド拡張部３ｄや表紙１のスライド拡張部１ｂを複数枚とし、これらのスライド拡張部３ｄ又は１ｂを順次張り出させるようにしてもよく、或いは、拡張台紙３にさらに折畳式の拡張台紙３を設けて、これらの拡張台紙３を順次展開するようにしてもよい。
【００５３】
また、上記各実施形態のファイルには、図１５に示す従来のものと同様、表紙１及び拡張台紙３に、楽譜の捲れを防止するための捲止片を付設するようにしてもよい。
【符号の説明】
【００５４】
１，１  表紙
１ａ  台板部
１ｂ  スライド拡張部
２  背表紙
３  拡張台紙
３ａ  台板部
３ｂ  継代部
３ｃ  ヒンジ
３ｄ  スライド拡張部
４  綴じ具
５  ガイド穴
５ａ  係止突起
６  ピン
６ａ  軸部
６ｂ  頭部
７  貫穴
８  展開支持部
Ｍ  楽譜
【図１】
2020175592.tif 000003
【図２】
2020175592.tif 000004
【図３】
2020175592.tif 000005
【図４】
2020175592.tif 000006
【図５】
2020175592.tif 000007
【図６】
2020175592.tif 000008
【図７】
2020175592.tif 000009
【図８】
2020175592.tif 000010
【図９】
2020175592.tif 000011
【図１０】
2020175592.tif 000012
【図１１】
2020175592.tif 000013
【図１２】
2020175592.tif 000014
【図１３】
2020175592.tif 000015
【図１４】
2020175592.tif 000016
【図１５】
2020175592.tif 000017